(57)【要約】      （修正有）【課題】スポーツ観戦やコンサート等の観客が、興奮の度合いや楽しさを増大でき、また、一体感を増加させられるように工夫されたシャツを提供する。【解決手段】前側布地部１に、下窓部２と上窓部３を形成する。そして、下窓部２・上窓部３にメッシュ材７，17を張設する。かつ、下窓部２・上窓部３は、前側布地部１を捲くり上げてその表面10を顔面に当接させるとき夫々顔面の目・口に位置するように、配設される。また、前側布地部１の裏面に、文字や、下窓部２を目の位置とする人物・漫画・キャラクター等のイラストを、描く。【選択図】図６
0003115127.tif 000002
【実用新案登録請求の範囲】
【請求項１】
前側布地部（１）の上下中間部位に、左右窓部（12)(12）を形成すると共に、該左右窓部（12)(12）にはメッシュ材（７)(７）を張設し、かつ、該左右窓部（12)(12）は、上記前側布地部（１）を捲くり上げてその表面（10）を顔面（４）に当接させるとき該顔面（４）の目（５)(５）に位置するように、配設されたことを特徴とするシャツ。
【請求項２】
前側布地部（１）に、下窓部（２）と上窓部（３）を形成すると共に、該下窓部（２）・該上窓部（３）にはメッシュ材（７)(17）を張設し、かつ、該下窓部（２）・上窓部（３）は、上記前側布地部（１）を捲くり上げてその表面（10）を顔面（４）に当接させるとき夫々該顔面（４）の目（５)(５）・口（16）に位置するように、配設されたことを特徴とするシャツ。
【請求項３】
前側布地部（１）の上下中間部位に、左右窓部（12)(12）を形成すると共に、該左右窓部（12)(12）にはメッシュ材（７)(７）を張設し、かつ、該左右窓部（12)(12）は、上記前側布地部（１）を捲くり上げてその表面（10）を顔面（４）に当接させるとき夫々該顔面（４）の目（５)(５）に位置するように、配設され、
さらに、上記捲くり上げた状態において、首廻りで上記前側布地部（１）をその裏面（11）側から括る一対の紐部材（15)(15）を、裾部（13）に吊下状に付設したことを特徴とするシャツ。
【請求項４】
前側布地部（１）の上下の襟部（14）寄りの部位に、左右窓部（12)(12）を形成すると共に、該左右窓部（12)(12）にはメッシュ材（７)(７）を張設し、かつ、該左右窓部（12)(12）は、上記前側布地部（１）を捲くり上げてその表面（10）を顔面（４）に当接させるとき該顔面（４）の目（５)(５）に位置すると共に、該捲くり上げ状態で顎（６）が上記襟部（14）から露出するように、配設されたことを特徴とするシャツ。
【考案の詳細な説明】
【技術分野】
【０００１】
本考案は、Ｔシャツ、タンクトップ等のシャツに関するものである。
【背景技術】
【０００２】
シャツは、前側布地部や後側布地部の表面に図柄や文字等のデザインが描かれたものや、あるいは、無地のものがある。
【考案の開示】
【考案が解決しようとする課題】
【０００３】
スポーツ観戦の観客席やコンサート会場等に集まる観客は、例えば、お揃いのデザインがプリントされたシャツを着ることによって、一体感を得たり、応援を楽しむ。シャツに、その表面のプリント以外に、大勢が一斉に行える別の工夫があれば、観客は一層興奮してボルテージを上げることができ、一体感を増加させることができる。
そこで、本考案は、スポーツ観戦やコンサート等の観客が、興奮の度合いや楽しさを増大でき、また、一体感を増加させられるように工夫されたシャツを提供することを目的とする。
【課題を解決するための手段】
【０００４】
上記の目的を達成するために、本考案に係るシャツは、前側布地部の上下中間部位に、左右窓部を形成すると共に、該左右窓部にはメッシュ材を張設し、かつ、該左右窓部は、上記前側布地部を捲くり上げてその表面を顔面に当接させるとき該顔面の目に位置するように、配設されたものである。
【０００５】
また、本考案に係るシャツは、前側布地部に、下窓部と上窓部を形成すると共に、該下窓部・該上窓部にはメッシュ材を張設し、かつ、該下窓部・上窓部は、上記前側布地部を捲くり上げてその表面を顔面に当接させるとき夫々該顔面の目・口に位置するように、配設されたものである。
【０００６】
また、本考案に係るシャツは、前側布地部の上下中間部位に、左右窓部を形成すると共に、該左右窓部にはメッシュ材を張設し、かつ、該左右窓部は、上記前側布地部を捲くり上げてその表面を顔面に当接させるとき夫々該顔面の目に位置するように、配設され、さらに、上記捲くり上げた状態において、首廻りで上記前側布地部をその裏面側から括る一対の紐部材を、裾部に吊下状に付設したものである。
【０００７】
また、本考案に係るシャツは、前側布地部の上下の襟部寄りの部位に、左右窓部を形成すると共に、該左右窓部にはメッシュ材を張設し、かつ、該左右窓部は、上記前側布地部を捲くり上げてその表面を顔面に当接させるとき該顔面の目に位置すると共に、該捲くり上げ状態で顎が上記襟部から露出するように、配設されたものである。
【考案の効果】
【０００８】
本考案は、次のような著大な効果を奏する。
本考案に係るシャツは、前側布地部に、下窓部と上窓部を形成すると共に、下窓部・上窓部は、前側布地部を捲くり上げてその表面を顔面に当接させるとき夫々顔面の目・口に位置するように、配設されるので、前側布地部を捲くり上げて顔面を覆っても、下窓部を通して前方を見ることができ、また、上窓部を通して会話をすることができ、例えば、スポーツやコンサートの観客が大勢でこのシャツを着て、興奮してボルテージが上がった時や、あるいは、観客の間で決めた合図にて、前側布地部を捲くり上げて頭部を覆えば、大勢で一体感を得られ、観戦の楽しみを増加させられる。
あるいは、本考案のシャツをサッカー選手等のアスリートが着れば、試合中にゴールが決まった場合等に、興奮してシャツの前側布地部を捲くり上げて頭部からスッポリと覆ったままグラウンドを走り回っても、下窓部を通して、前方を見ることができるので、つまずきによる転倒や、他の選手等との衝突を防ぐことができる。
また、上下窓部にメッシュ材が張設されるので、目・口にゴミが入るのが防がれる。
【考案を実施するための最良の形態】
【０００９】
以下、実施の形態を示す図面に基づき、本考案を詳説する。
図１〜図５は本考案に係るシャツの第１の実施の形態を示す。このシャツは、例えば、Ｔシャツ、タンクトップや長袖シャツ等であり、前側布地部１の上下中間部位に、左右窓部12，12が形成される。各窓部12は、例えば、略平行四辺形や楕円状等に形成されると共に、目５を埃等から保護するメッシュ材７が張設される。８は、メッシュ材７の周囲に沿って付設されてメッシュ材７を窓部12に張る縁枠材である。メッシュ材７は、例えば樹脂材を網状として形成したものであり、縁枠材８は布材・ビニール材等から成る。また、左右窓部12，12は、左右対称となるように形成される。また、図示省略するが、下窓部２は、左右の目５，５に対応するように一続きの横長状として、形成されてもよい。そして、上記縁枠材８を表面へ僅かに突出状として柔らかい材質をもって布地部１に縫製又は接着等で付設することで、後述の図４や図５に示す使用状態にて、女性の目のまわりの化粧やまつ毛を保護できる。
そして、左右窓部12，12は、前側布地部１を捲くり上げてその表面10を顔面４に当接させるとき顔面４の両目５，５に位置するように、配設される（図４参照）。
また、図５に示すように、前側布地部１の裏面11に、文字や、左右窓部12，12を両目の位置とする人物・漫画・キャラクターの顔のイラスト20を、描いてもよい。
【００１０】
次に、図６，図７は本考案に係るシャツの第２の実施の形態を示し、図１〜図４に示したシャツとの相違点は、前側布地部１に、左右窓部12，12から成る下窓部２の上側に離間して、上窓部３が形成された点である。上窓部３は、顔面４の口16に対応し、三日月形状や、周状弯曲形状や、楕円形状等に形成されており、口16を埃等から保護するメッシュ材17が張設される。18は、メッシュ材17の周囲に沿って付設されてメッシュ材17を上窓部３に張る縁枠材である。
そして、下窓部２（左右窓部12，12）・上窓部３は、前側布地部１を捲くり上げてその表面10を顔面４に当接させるとき夫々顔面４の両目５，５と口16に位置するように、配設される（図７参照）。前側布地部１の裏面11は、図７に示したようにイラスト20が描かれたり、あるいは無地でもよい。
【００１１】
次に、図８，図９，図10は本考案に係るシャツの第３の実施の形態を示し、図１〜図４に示したシャツとの相違点は、裾部13に、一対の紐部材15，15を吊下状に付設した点である。この一対の紐部材15，15は、前側布地部１を捲くり上げた状態において、首廻りで前側布地部１をその裏面11側から括るためのものである。一対の紐部材15，15は、その一端部15ｂ，15ｂが、裾部13の前側に左右に離されて縫製され、かつ、他端部15ａ，15ａに、相互に着脱自在とする留め具が設けられる。図10（Ａ）〜図10（Ｄ）は紐部材15，15の留め具の具体的な説明図である。
先ず、図10（Ａ）に於ては、紐部材15，15の端部15ａ，15ａに、夫々、面状ファスナ24を成す相互着脱自在の第１着脱部材24ａ・第２着脱部材24ｂが、付設されている。
また、図10（Ｂ）に於ては、一方の紐部材15の端部15ａに、一対のトグル部材25，25が付設され、このトグル部材25，25に、他方の紐部材15の端部15ａが巻きつけられて、連結される。
また、図10（Ｃ）に於ては、一方の紐部材15の端部15ａにボタン27が付設され、かつ、他方の紐部材15の端部15ａに、ボタン27が係止される細孔28が形成されている。
また、図10（Ｄ）に於ては、一方の紐部材15の端部15ａに係止雄部材29が付設され、かつ、他方の紐部材15の端部15ａに、係止雄部材29が着脱自在に嵌込まれる係止雌部材30が付設されている。
【００１２】
次に、図11，図12は本考案に係るシャツの第４の実施の形態を示し、図１〜図４に示したシャツに比べて、左右窓部12，12が、前側布地部１の上下の襟部14寄りの部位に、形成されている。左右窓部12，12は、前側布地部１を捲くり上げてその表面10を顔面４に当接させるとき顔面４の目５，５に位置すると共に、捲くり上げ状態で顎６（及び口16）が襟部14から露出するように、配設されている（図12参照）。
顎６は、顔面４のうち、鼻下から下顎部６ａにかけての部位を指す。
【００１３】
次に、本考案のシャツの使用方法について説明する。
図１〜図５に於て、例えば、スポーツやコンサートの観客が、本考案のシャツを着て、シャツの上には他の衣服を着ないようにして観戦等を行う（図２参照）。
そして、観戦等の途中で興奮してボルテージが上がった時や、あるいは、観客の間で決めた合図にて、図３に示したように、各観客が、前側布地部１の裾部13を、矢印９のように上方へ捲くり上げ、前側布地部１の表面10を顔面４に当接させつつ、裾部13が頭部を覆うように引っ張り上げる。
そして、図４に示したように、前側布地部１の裾部13を頭部に覆って、ずり落ちないように引っ掛ける。このとき、左右窓部12，12を顔面４の両目５，５に対応させ、メッシュ材７，７を通して前方が見えるようにする。この動作を、例えば、大勢の観客が一斉に行う。
【００１４】
なお、このシャツをサッカー選手等のアスリートが着てもよい。例えば、サッカー選手は、ゴールを決めた直後に興奮して、図４のようにシャツの前側布地部１を捲くり上げて頭部からスッポリと覆ったままフィールドを走り回ることがある。そのとき、このアスリートは、左右窓部12，12を通して、前方を見ることができるので、つまずきによる転倒や、他の選手やゴールポスト等との衝突を、防ぐことができる。
【００１５】
また、図５に示したように、スポーツ観戦に際し、応援するチームのイメージキャラクターの顔のイラスト20を、前側布地部１の裏面11に描いておけば、観戦中に大勢で一斉にシャツの前側布地部１を捲くり上げることで、そのイラストを周りの他の観客等に大々的なアピールが出来ると共に、多くの一体感・満足感を得られる。
【００１６】
次に、図６，図７に示したシャツを着た場合も、図１〜図４のシャツと同様の手順で動作し、図７のように、前側布地部１の裾部13を頭部に覆って、ずり落ちないように引っ掛ける状態にする。左右窓部12，12は顔面４の両目５，５に対応し、両目５，５は、メッシュ材７，７を通して前方を見ることができ、かつ、口16は、上窓部３に対応し、メッシュ材17を通して会話や呼吸をすることができる。
【００１７】
次に、図８，図９に示したシャツの使用方法について説明すると、先ず、図１〜図４のシャツと同じ手順にて、シャツの前側布地部１を頭部に覆った図４の状態にする。このとき、紐部材15，15は、首部の後方にて、吊下げられた状態となっている。そして、この紐部材15，15を、首廻りで前側布地部１の裏面11側から括り、かつ、図10の各図の留め具で、首部の前方にて留める。すると、図９に示したように、前側布地部１が、首廻りで、絞られた状態になる。
【００１８】
次に、図11，図12に示したシャツは、図１〜図４のシャツよりも、前側布地部１をさらに上方へ捲くり上げて、裾部13を頭部に覆うと共にずり落ちないように引っ掛けて、その表面10を顔面４に当接させて、左右窓部12，12を両目５，５に位置させる。この捲くり上げ状態では、顎６が襟部14から下方に露出している。
【００１９】
以上のように、本考案に係るシャツは、前側布地部１の上下中間部位に、左右窓部12，12を形成すると共に、左右窓部12，12にはメッシュ材７，７を張設し、かつ、左右窓部12，12は、前側布地部１を捲くり上げてその表面10を顔面４に当接させるとき顔面４の目５，５に位置するように、配設されているので、前側布地部１を捲くり上げて顔面４を覆っても、左右窓部12，12を通して前方を見ることができ、例えば、スポーツやコンサートの観客が大勢でこのシャツを着て、興奮してボルテージが上がった時や、あるいは、観客の間で決めた合図にて、前側布地部１を捲くり上げて頭部を覆えば、大勢で一体感を得られ、観戦の楽しみを増加させられる。
あるいは、本考案のシャツをサッカー選手等のアスリートが着れば、試合中にゴールが決まった場合等に、興奮してシャツの前側布地部１を捲くり上げて頭部からスッポリと覆ったままグラウンドを走り回っても、左右窓部12，12を通して、前方を見ることができるので、つまずきによる転倒や、他の選手等との衝突を防ぐことができる。
また、左右の各窓部12にメッシュ材７が張設されるので、目５にゴミが入るのが防がれる。
【００２０】
また、本考案に係るシャツは、前側布地部１に、下窓部２と上窓部３を形成すると共に、下窓部２・上窓部３にはメッシュ材７，17を張設し、かつ、下窓部２・上窓部３は、前側布地部１を捲くり上げてその表面10を顔面４に当接させるとき夫々顔面４の目５，５・口16に位置するように、配設されているので、前側布地部１を捲くり上げて顔面４を覆っても、下窓部２を通して前方を見ることができ、また、上窓部３を通して会話をすることができるので、例えば、スポーツやコンサートの観客が大勢でこのシャツを着て、興奮してボルテージが上がった時や、あるいは、観客の間で決めた合図にて、前側布地部１を捲くり上げて頭部を覆えば、大勢で一体感を得られ、観戦の楽しみを増加させられる。
あるいは、本考案のシャツをサッカー選手等のアスリートが着れば、試合中にゴールが決まった場合等に、興奮してシャツの前側布地部１を捲くり上げて頭部からスッポリと覆ったままグラウンドを走り回っても、下窓部２を通して、前方を見ることができるので、つまずきによる転倒や、他の選手等との衝突を防ぐことができる。
また、下窓部２・上窓部３にメッシュ材７，17が張設されるので、目５・口16にゴミが入るのが防がれる。
【００２１】
また、本考案に係るシャツは、前側布地部１の上下中間部位に、左右窓部12，12を形成すると共に、左右窓部12，12にはメッシュ材７，７を張設し、かつ、左右窓部12，12は、前側布地部１を捲くり上げてその表面10を顔面４に当接させるとき夫々顔面４の目５，５に位置するように、配設され、さらに、捲くり上げた状態において、首廻りで前側布地部１をその裏面11側から括る一対の紐部材15，15を、裾部13に吊下状に付設しているので、前側布地部１を捲くり上げて顔面４を覆っても、左右窓部12，12を通して前方を見ることができ、例えば、スポーツやコンサートの観客が大勢でこのシャツを着て、興奮してボルテージが上がった時や、あるいは、観客の間で決めた合図にて、前側布地部１を捲くり上げて頭部を覆えば、大勢で一体感を得られ、観戦の楽しみを増加させられる。
あるいは、本考案のシャツをサッカー選手等のアスリートが着れば、試合中にゴールが決まった場合等に、興奮してシャツの前側布地部１を捲くり上げて頭部からスッポリと覆ったままグラウンドを走り回っても、左右窓部12，12を通して、前方を見ることができるので、つまずきによる転倒や、他の選手等との衝突を防ぐことができる。
また、各窓部12にメッシュ材７が張設されるので、目５にゴミが入るのが防がれる。
しかも、捲くり上げた状態において、裾部13に付設した一対の紐部材15，15によって、前側布地部１を首廻りで括ることができるので、布地部１が頭部を密着状に包む状態にでき、見た目のバラエティーが増える。
【００２２】
また、本考案に係るシャツは、前側布地部１の上下の襟部14寄りの部位に、左右窓部12，12を形成すると共に、左右窓部12，12にはメッシュ材７，７を張設し、かつ、左右窓部12，12は、前側布地部１を捲くり上げてその表面10を顔面４に当接させるとき顔面４の目５，５に位置すると共に、捲くり上げ状態で顎６が襟部14から露出するように、配設されているので、前側布地部１を捲くり上げて顔面４を覆っても、左右窓部12，12を通して前方を見ることができ、また、襟部14の下側に口を露出させて会話をすることができるので、例えば、スポーツやコンサートの観客が大勢でこのシャツを着て、興奮してボルテージが上がった時や、あるいは、観客の間で決めた合図にて、前側布地部１を捲くり上げて頭部を覆えば、大勢で一体感を得られ、観戦の楽しみを増加させられる。
あるいは、本考案のシャツをサッカー選手等のアスリートが着れば、試合中にゴールが決まった場合等に、興奮してシャツの前側布地部１を捲くり上げて頭部からスッポリと覆ったままグラウンドを走り回っても、左右窓部12，12を通して、前方を見ることができるので、つまずきによる転倒や、他の選手等との衝突を防ぐことができる。
また、下窓部２にメッシュ材７が張設されるので、目５にゴミが入るのが防がれる。
【図面の簡単な説明】
【００２３】
【図１】本考案に係るシャツの第１の実施の形態を示す正面図である。
【図２】説明用正面図である。
【図３】説明用正面図である。
【図４】説明用正面図である。
【図５】説明用正面図である。
【図６】本考案に係るシャツの第２の実施の形態を示す正面図である。
【図７】説明用正面図である。
【図８】本考案に係るシャツの第３の実施の形態を示す正面図である。
【図９】説明用正面図である。
【図１０】紐部材を示す要部説明図であり、（Ａ）は第１の紐部材を示す要部説明図で、（Ｂ）は第２の紐部材を示す要部説明図で、（Ｃ）は第３の紐部材を示す要部説明図で、（Ｄ）は第４の紐部材を示す一部断面要部説明図である。
【図１１】本考案に係るシャツの第４の実施の形態を示す正面図である。
【図１２】説明用正面図である。
【符号の説明】
【００２４】
１  前側布地部
２  下窓部
３  上窓部
４  顔面
５  目
６  顎
７  メッシュ材
10  表面
11  裏面
12  窓部
13  裾部
14  襟部
15  紐部材
16  口
17  メッシュ材
【図１】
0003115127.tif 000003
【図２】
0003115127.tif 000004
【図３】
0003115127.tif 000005
【図４】
0003115127.tif 000006
【図５】
0003115127.tif 000007
【図６】
0003115127.tif 000008
【図７】
0003115127.tif 000009
【図８】
0003115127.tif 000010
【図９】
0003115127.tif 000011
【図１０】
0003115127.tif 000012
【図１１】
0003115127.tif 000013
【図１２】
0003115127.tif 000014